(57)【要約】  フルート族の演奏時にかかる演奏者への負担を軽減することを目的とする。また、新たな音色を発音する管楽器を提供することを課題とする。  本発明は、横吹き木管楽器であるエアリード型のフルート族の唄口が、尺八、ケーナ又はリコーダー等のエアリード型の縦吹きのエアリード型の唄口構造を有することを特徴とする。エアリード型のフルート族が、縦吹きのエアリード型の唄口構造を有することにより、フルート族を縦吹きで演奏することが可能になる。これにより、演奏者は、演奏者の正面に縦に配列されたキイにより演奏することができるので、演奏時の姿勢をより自然なものとすることができる。【特許請求の範囲】
【請求項１】
横吹き木管楽器の主管に接続される頭部管の唄口であって、
該唄口は、縦吹きのエアリード型の唄口構造を有し、かつ、
該唄口は、前記頭部管の末端側で該頭部管と一体であるか、或いは、前記主管と該唄口を接続する接続管と共に前記頭部管を構成することを特徴とする唄口。
【請求項２】
前記唄口構造は、円筒体の端部の開口部を吹き口とし、該開口部の周端の一部に切り欠きを設け、該切り欠きのうち息が当たるエッジの周りを前記円筒体の肉厚よりも傾斜状に肉薄としてラビュームを設けた構造を有し、且つ、前記エッジを直線状とするか円弧状としたことを特徴とする請求項１記載の唄口。
【請求項３】
前記唄口構造は、円筒体の端部の開口部を吹き口とし、前記円筒体の側面に窓を設け、息を前記窓へ送るウインドウェイを前記円筒体の内部に設け、前記窓のうち息が当たるエッジの周りを前記円筒体の肉厚よりも傾斜状に肉薄としてラビュームを設けた構造を有することを特徴とする請求項１記載の唄口。
【請求項４】
前記唄口構造は、円筒体の端部の開口部を吹き口とし、該開口部の周端の一部を、該周端が底辺となるような三角形状又は台形状に取り除いて切り欠きを設け、該切り欠きの縁辺をエッジとし、該エッジの周りを前記円筒体の肉厚よりも傾斜状に肉薄としてラビュームを設けた構造を有することを特徴とする請求項１記載の唄口。
【請求項５】
前記頭部管の唄口は、管軸の横断面が円形又は多角形であることを特徴とする請求項１、２、３又は４記載の唄口。
【請求項６】
前記横吹き木管楽器は、フルート、ソプラノフルート、アルトフルート、コントラアルトフルート、バスフルート、コントラバスフルート、アイリッシュフルート、ピッコロ等のフルート族であることを特徴とする請求項１、２、３、４又は５記載の唄口。
【請求項７】
横吹き木管楽器の主管と唄口の間に接続される接続管であって、
前記唄口は、縦吹きのエアリード型の唄口構造を有し、
前記接続管は、前記唄口と共に管楽器の頭部管を構成することを特徴とする接続管。
【請求項８】
前記接続管の少なくとも一部が湾曲又は屈曲していることを特徴とする請求項７に記載の接続管。
【請求項９】
前記接続管は、前記主管側に向かって内壁の内径が大きくなるテーパーを有することを特徴とする請求項７又は８に記載の接続管。
【請求項１０】
フルート、ソプラノフルート、アルトフルート、コントラアルトフルート、バスフルート、コントラバスフルート、アイリッシュフルート、ピッコロ等の横吹き木管楽器の主管を少なくとも有する管楽器であって、
前記主管と接続される頭部管の唄口は、縦吹きのエアリード型の唄口構造を有することを特徴とする管楽器。
【発明の詳細な説明】
【技術分野】
【０００１】
本発明は、フルート等の横吹き木管楽器を縦吹きに変換する唄口とその接続管及び該唄口を有する管楽器に関するものである。
【背景技術】
【０００２】
吹き口からの息の空気流れが唄口のエッジに当たって発音するリコーダー、フルート、ピッコロ等エアリード型の木管楽器が多用されている（例えば、特許文献１参照。）。中でもフルート又はピッコロ等のフルート族は、主管の側面に開いたトーンホールが管径に対して十分に大きく、さらにトーンホールをキイによってむらなく塞ぐので、音響学的に理想的な設計となっている。しかし、フルート族は横吹きであるので、演奏者の左右の筋肉が大きく非対称になるような姿勢で演奏しなければならない。このため、演奏者の指、腕、首などに大きく負担がかかり、長時間の演奏が困難であった。
【特許文献１】特開２００３−５７４２号公報
【発明の開示】
【発明が解決しようとする課題】
【０００３】
上記のように、従来のフルート族は、音響学的に理想的な設計ではあるが、演奏時にかかる演奏者への負担が大きかった。しかるに本発明は、フルート族の演奏時にかかる演奏者への負担を軽減することを課題とする。また、新たな音色を発音する管楽器を提供することを課題とする。
【課題を解決するための手段】
【０００４】
本発明は、横吹き木管楽器であるエアリード型のフルート族の唄口が、尺八、ケーナ又はリコーダー等のエアリード型の縦吹きのエアリード型の唄口構造を有することを特徴とする。エアリード型のフルート族が、縦吹きのエアリード型の唄口構造を有することにより、フルート族を縦吹きで演奏することが可能になる。これにより、演奏者は、演奏者の正面に縦に配列されたキイにより演奏することができるので、演奏時の姿勢をより自然なものとすることができる。したがって、フルート族の演奏時にかかる演奏者への負担を軽減することが可能になる。また、新たな唄口構造とすることで音色も新たなものとすることができる。【０００５】
具体的には、本発明に係る唄口は、横吹き木管楽器の主管に接続される頭部管の唄口であって、該唄口は、縦吹きのエアリード型の唄口構造を有し、かつ、該唄口は、前記頭部管の末端側で該頭部管と一体であるか、或いは、前記主管と該唄口を接続する接続管と共に前記頭部管を構成することを特徴とする。【０００６】
前記唄口構造は、円筒体の端部の開口部を吹き口とし、該開口部の周端の一部に切り欠きを設け、該切り欠きのうち息が当たるエッジ（ｅｄｇｅ、ｂｅｖｅｌ）の周りを前記円筒体の肉厚よりも傾斜状に肉薄としてラビューム（ｒａｍｐ）を設けた構造を有し、且つ、前記エッジを直線状とするか或いは円弧状としてもよい。【０００７】
このように、縦吹きのエアリード型の唄口構造は、尺八、ケーナ、シャオ（ＸＩＡＯ）等の唄口並びにこれと同様の唄口を有する構造としてもよい。このような構造にすることにより、エッジへの息の当たり方を自由に変えられるようになるので、同一の唄口を用いて表情豊かな音色を発音させることが可能になる。【０００８】
前記唄口構造は、円筒体の端部の開口部を吹き口とし、前記円筒体の側面に窓を設け、息を前記窓へ送るウインドウェイを前記円筒体の内部に設け、前記窓のうち息が当たるエッジの周りを前記円筒体の肉厚よりも傾斜状に肉薄としてラビューム（ｒａｍｐ）を設けた構造を有してもよい。【０００９】
このように、縦吹きのエアリード型の唄口構造は、ソプラノリコーダー、アルトリコーダー、テナーリコーダー等のリコーダー、Ｋ−ケーナ等の唄口並びにこれと同様の唄口を有する構造としてもよい。このような構造にすることにより、ウインドウェイによってエッジに息を確実に当てることができるので、発音を容易にすることができる。【００１０】
前記唄口構造は、円筒体の端部の開口部を吹き口とし、該開口部の周端の一部を、該周端が底辺となるような三角形状又は台形状に取り除いて切り欠きを設け、該切り欠きの縁辺をエッジとし、該エッジの周りを前記円筒体の肉厚よりも傾斜状に肉薄としてラビュームを設けた構造を有してもよい。【００１１】
このように、縦吹きのエアリード型の唄口構造は、尺八、ケーナ、シャオ（ＸＩＡＯ）等の唄口並びにこれと同様の唄口を有する構造としてもよい。このような構造にすることにより、エッジへの息の当たり方を自由に変えられるようになるので、同一の唄口を用いて表情豊かな音色を発音させることが可能になる。【００１２】
前記頭部管の唄口は、管軸の横断面が円形又は多角形であってもよい。【００１３】
管軸の横断面の形状が円形であることにより、横吹き木管楽器に近い音色を発音することができる。また、管軸の横断面の形状が多角形であることにより、新たな音色を発音することが可能になる。【００１４】
前記横吹き木管楽器は、フルート、ソプラノフルート、アルトフルート、コントラアルトフルート、バスフルート、コントラバスフルート、アイリッシュフルート、ピッコロ等のフルート族を含む。【００１５】
横吹き木管楽器が上記フルート族であることによって、主管の側面に開いたトーンホールが管径に対して十分に大きく、さらにトーンホールをキイによってむらなく塞ぐので、音響学的に理想的な設計とすることができる。【００１６】
本発明に係る接続管は、横吹き木管楽器の主管と唄口の間に接続される接続管であって、前記唄口は、縦吹きのエアリード型の唄口構造を有し、前記接続管は、前記唄口と共に管楽器の頭部管を構成することを特徴とする。【００１７】
接続管と縦吹きのエアリード型の唄口構造を有する唄口とで頭部管を構成することによって、唄口のみを着脱することが可能になる。また、形状、材質の組み合わせにより、新たな音色を発音することが可能になる。【００１８】
前記接続管の少なくとも一部が湾曲又は屈曲していてもよい。【００１９】
接続管の少なくとも一部が湾曲又は屈曲していることにより、音の柔らかさ、太さ、音の均一性等の音色を変えることが可能になる。また、演奏しやすい位置で演奏することが可能になる。【００２０】
前記接続管は、前記主管側に向かって内壁の内径が大きくなるテーパーを有してもよい。【００２１】
接続管に主管側に向かって内径が大きくなるテーパーを設けることで、 音抜け、暖かみ、響き等の音色を変えることが可能になる。【００２２】
本発明に係る管楽器は、フルート、ソプラノフルート、アルトフルート、コントラアルトフルート、バスフルート、コントラバスフルート、アイリッシュフルート、ピッコロ等の横吹き木管楽器の主管を少なくとも有する管楽器であって、前記主管と接続される頭部管の唄口は、縦吹きのエアリード型の唄口構造を有することを特徴とする。【００２３】
フルート、ソプラノフルート、アルトフルート、コントラアルトフルート、バスフルート、コントラバスフルート、アイリッシュフルート、ピッコロ等の横吹き木管楽器とは、エアリード型のフルート族である。エアリード型のフルート族が縦吹きのエアリード型の唄口構造を有することにより、フルート族を縦吹きで演奏することが可能になる。縦吹きで演奏することが可能になることにより、演奏者の正面に楽器を構えることができるので、演奏者は自然体に近い姿勢で演奏することができる。これにより、フルート族の演奏時にかかる演奏者への負担を軽減することが可能になる。また、新たな唄口構造とすることで音色も新たなものとすることができる。
【発明の効果】
【００２４】
本発明により、フルート族の演奏時にかかる演奏者への負担を軽減することが可能な唄口、該唄口と共に頭部管を構成する接続管、並びに該唄口を有する管楽器が可能になる。また、新たな唄口構造とすることで音色も新たなものとすることができる。
【図面の簡単な説明】
【００２５】
【図１】本実施形態に係る唄口を有する管楽器の一例を示す模式図である。
【図２】本実施形態に係る頭部管の第１形態を示す模式図である。
【図３】本実施形態に係る唄口構造の第１形態を示す模式図であり、（ａ）は側面図、（ｂ）は平面図である。
【図４】本実施形態に係る唄口構造の第２形態を示す模式図であり、（ａ）は側面図、（ｂ）は平面図である。
【図５】本実施形態に係る唄口構造の第５形態を示す断面図である。
【図６】接続管を示す模式図であり、（ａ）は接続管の第２形態、（ｂ）は接続管の第３形態を示す。
【図７】本実施形態に係る接続管の縦断面図であり、（ａ）は接続管の第４形態、（ｂ）は接続管の第５形態、（ｃ）は接続管の第６形態を示す。
【図８】本実施形態に係る頭部管の第８形態を示す模式図である。
【図９】本実施形態に係る唄口構造の第３形態を示す模式図であり、（ａ）は側面図、（ｂ）は斜視図である。
【図１０】本実施形態に係る唄口構造の第４形態を示す模式図であり、（ａ）は側面図、（ｂ）は斜視図である。
【図１１】本実施形態に係る頭部管の模式図であり、（ａ−１）は頭部管の第２形態の縦断面図、（ａ−２）はＡ−Ａ’横断面図、（ｂ−１）は頭部管の第３形態の縦断面図、（ｂ−２）はＢ−Ｂ’横断面図、（ｃ−１）は頭部管の第４形態の縦断面図、（ｃ−２）はＣ−Ｃ’横断面図を示す。
【図１２】本実施形態に係る頭部管の模式図であり、（ａ−１）は頭部管の第５形態の縦断面図、（ａ−２）はＤ−Ｄ’横断面図、（ｂ−１）は頭部管の第６形態の縦断面図、（ｂ−２）はＥ−Ｅ’横断面図、（ｃ−１）は頭部管の第７形態の縦断面図、（ｃ−２）はＦ−Ｆ’横断面図を示す。
【符号の説明】
【００２６】
１  息の空気流路
１１、１５、７１、７２、７３、１７１、１７２、１７３  頭部管
１２  主管
１３  足部管
２１、２２、２３、２４、２５、２６、２７  唄口
３１、３２、３３、３４、３５、３６、３７  接続管
４１、５１  開口部
４２、４６、４８、５０  切り欠き
４３、４７、５４  エッジ
４４、５５  ラビューム
４５  唄口の接続部
４９、５６  唄口の円筒体の肉厚
５２  窓
５３  ウインドウェイ
６１  主管側に接続される接続管の片端
６２  唄口側に接続される接続管の他端
７４、７６、７８、１７４、１７６、１７８  頭部管の唄口側にある末端
７５、７７、７９、１７５、１７７、１７９  頭部管の主管側にある末端
８１  管楽器
【発明を実施するための最良の形態】
【００２７】
以下、本発明の実施例について、図面の参照しながら詳細に説明する。なお、本発明は、以下に示す実施形態に限定されるものではない。図１は、本実施形態に係る唄口２１を有する管楽器８１の模式図である。横吹き木管楽器の主管１２に接続される頭部管１１の唄口２１であって、唄口２１は、縦吹きのエアリード型の唄口構造を有し、かつ、唄口２１は、主管１２と唄口２１を接続する接続管３１と共に頭部管１１を構成する。唄口２１は、頭部管１１の末端側に配置されかつ頭部管１１と一体であってもよい。管楽器８１は、横吹き木管楽器の足部管１３を含んでもよい。【００２８】
主管１２は、横吹き木管楽器の主管であり、音階を調節するトーンホールが含まれている。ここでいう横吹き木管楽器は、木管楽器のなかでも人間の口で作られる空気の平たい息の空気流れがエッジに当たって発音するエアリード型の横笛であり、例えば、フルート、ソプラノフルート、アルトフルート、コントラアルトフルート、バスフルート、コントラバスフルート、アイリッシュフルート、ピッコロ等のフルート族が例示できる。横吹き木管楽器がフルート族であることによって、主管１２の側面に開いたトーンホールが管径に対して十分に大きく、さらにトーンホールをキイによってむらなく塞ぐので、音響学的に理想的な設計とすることができる。【００２９】
足部管１３は、横吹き木管楽器の足部管であり、トーンホールが含まれている。【００３０】
頭部管１１は、主管１２と着脱自在で接続可能であり、かつ唄口２１を有する頭部管である。図２は、頭部管の第１形態を示す模式図である。接続管３１の片端６１に主管が接続され、他端６２に唄口２１が接続される。接続管３１は接続管の第１形態とする。片端６１及び他端６２はどちらも着脱が自在であるが、その構造は限定するものではない。例えば、唄口２１が接続管３１と接続される接続部４５の内壁の内径と、他端６２の外壁の外径とが略一致した、勘合等の着脱機構としてもよい。またその逆でもよく、接続部４５の外壁の外径と他端６２の内壁の内径とが略一致するものでもよい。片端６１は、横吹き木管楽器の主管の頭部管側と勘合等の着脱自在となる機構を有すればよい。頭部管１１の材質は限定するものではなく、洋銀、銀、金、キュプロニッケル、プラチナなどの金属であってもよいし、グラディナ等の木であってもよいし、プラスチックであってもよい。また、銀、金、ニッケル、プラチナ等のメッキが施されていてもよいし、ラッカー塗装が施されていてもよい。【００３１】
図１１は、本実施形態に係る頭部管の模式図であり、（ａ−１）は頭部管の第２形態の縦断面図、（ａ−２）はＡ−Ａ’横断面図、（ｂ−１）は頭部管の第３形態の縦断面図、（ｂ−２）はＢ−Ｂ’横断面図、（ｃ−１）は頭部管の第４形態の縦断面図、（ｃ−２）はＣ−Ｃ’横断面図を示す。唄口構造は不図示とした。図１１（ａ−２）、図１１（ｂ−２）、図１１（ｃ−２）に示すように、頭部管７１、７２、７３の管軸の横断面は円形となっている。また、頭部管７１の内壁の内径は同径となっており、図１１（ａ−１）及び図１１（ａ−２）に示すように、主管側の端部７５と頭部管７１の唄口のある端部７４とが同じ内径となっている。また、頭部管７２の内壁の内径は主管側が拡径しており、図１１（ｂ−１）及び図１１（ｂ−２）に示すように、主管側の端部７７の内壁の内径が頭部管７２の唄口のある端部７６の内壁の内径に比べて大きくなっている。また、頭部管７３の内壁の内径は主管側が縮径しており、図１１（ｃ−１）及び図１１（ｃ−２）に示すように、主管側の端部７９の内壁の内径が頭部管７３の唄口のある端部７８の内壁の内径に比べて小さくなっている。ただし、図１１（ａ−１）に示した同径の形状、図１１（ｂ−１）の拡径した形状、図１１（ｃ−１）の縮径した形状は、頭部管の全部でなくてもよい。例えば、唄口のある部分又は主管との接続部分が拡径又は縮径していてもよい。なお、頭部管７１、７２、７３の管軸の横断面の形状は真円に限定されるものではなく、例えば楕円等でもよい。円の一部に曲率の異なる部分を有していてもよい。【００３２】
図１２は、本実施形態に係る頭部管の模式図であり、（ａ−１）は頭部管の第５形態の縦断面図、（ａ−２）はＤ−Ｄ’横断面図、（ｂ−１）は頭部管の第６形態の縦断面図、（ｂ−２）はＥ−Ｅ’横断面図、（ｃ−１）は頭部管の第７形態の縦断面図、（ｃ−２）はＦ−Ｆ’横断面図を示す。唄口構造は不図示とした。頭部管１７１、１７２、１７３は、図１２（ａ−２）、図１２（ｂ−２）、図１２（ｃ−２）に示すように、頭部管１７１、１７２、１７３の管軸の横断面が多角形となっている。また、頭部管１７１の内壁の内径は同径となっており、図１２（ａ−１）及び図１２（ａ−２）に示すように、主管側の端部１７５と頭部管１７１の唄口のある端部１７４とが同じ内径となっている。また、頭部管１７２の内壁の内径は主管側が拡径しており、図１２（ｂ−１）及び図１２（ｂ−２）に示すように、主管側の端部１７７の内壁の内径が頭部管１７２の唄口のある端部１７６の内壁の内径に比べて大きくなっている。また、頭部管１７３の内壁の内径は主管側が縮径しており、図１２（ｃ−１）及び図１２（ｃ−２）に示すように、主管側の端部１７９の内壁の内径が頭部管１７３の唄口のある端部１７８の内壁の内径に比べて小さくなっている。ただし、図１２（ａ−１）に示した同径の形状、図１２（ｂ−１）の拡径した形状、図１２（ｃ−１）の縮径した形状は、頭部管の全部でなくてもよい。ただし、図１２（ａ−１）に示した同径の形状、図１２（ｂ−１）の拡径した形状、図１２（ｃ−１）の縮径した形状は、頭部管の全部でなくてもよい。例えば、唄口のある部分又は主管との接続部分が拡径又は縮径していてもよい。なお、頭部管１７１、１７２、１７３の管軸の横断面の形状は四角形に限定されるものではなく、多角形であればよい。例えば、三角形、四角形、六角形、八角形が例示できる。【００３３】
図１の唄口２１は、縦吹きのエアリード型の唄口構造を有するものである。縦吹きのエアリード型の唄口構造を有するものとしては、例えば、尺八、ケーナ、シャオ及びリコーダーの唄口並びにこれに類する唄口が例示できる。唄口２１の材質は限定するものではなく、洋銀、銀、金、キュプロニッケル、プラチナなどの金属であってもよいし、グラディナ等の木であってもよいし、プラスチックであってもよい。また、銀、金、ニッケル、プラチナ等のメッキが施されていてもよいし、ラッカー塗装が施されていてもよい。【００３４】
図３は、唄口構造の第１形態を示す模式図であり、（ａ）は側面図、（ｂ）は平面図である。図３に示す唄口構造は、円筒体の端部の開口部４１を吹き口とし、開口部４１の周端の一部に切り欠き４２を設け、切り欠き４２のうち息が当たるエッジ４３（ｅｄｇｅ、ｂｅｖｅｌ）の周りを円筒体の肉厚４９よりも傾斜状に肉薄としてラビューム４４（ｒａｍｐ）を設けた構造を有し、且つ、エッジ４３が直線状となっている。これに伴い切り欠き４２の形状も角形状となっている。円筒体のもう一方の末端の接続部４５は、接続管（不図示）に接続されてもよいが、主管（不図示）に直接接続されてもよい。このようにエッジ４３が直線状であることによって、民俗音楽、ジャズ、コンテンポラリーの演奏に適した、深く重みのある、強くはない音色を発音することができる。【００３５】
図４は、唄口構造の第２形態を示す模式図であり、（ａ）は側面図、（ｂ）は平面図である。図４に示す唄口構造に備わるエッジ４７は、図３のエッジ４３に相当する部分が円弧状となっている。これに伴い、切り欠き４６の形状も、釣鐘状となっている。このようにエッジ４７が円弧状であることによって、アンデスサウンド、クラシック、ジャズ、コンテンポラリーの演奏に適した、明るく艶やかで、軽やかで、澄んだ、強い音色を発音することができる。【００３６】
図９は、唄口構造の第３形態を示す模式図であり、（ａ）は側面図、（ｂ）は斜視図である。図９に示す唄口構造は、円筒体の端部の開口部４１を吹き口とし、開口部４１の周端の一部を、該周端が底辺となるような三角形状に取り除いて切り欠きを設け、切り欠きの縁辺をエッジ４８とし、エッジ４８の周りを円筒体の肉厚４９よりも傾斜状に肉薄としてラビューム４４を設けた構造を有している。【００３７】
図１０は、唄口構造の第４形態を示す模式図であり、（ａ）は側面図、（ｂ）は斜視図である。図１０に示す唄口構造は、円筒体の端部の開口部４１を吹き口とし、開口部４１の周端の一部を、該周端が底辺となるような台形状に取り除いて切り欠きを設け、切り欠きの縁辺をエッジ５０とし、エッジ５０の周りを円筒体の肉厚４９よりも傾斜状に肉薄としてラビューム４４を設けた構造を有している。【００３８】
図３、図４、図９及び図１０に示したように、縦吹きのエアリード型の唄口構造は、尺八、ケーナ、ジアオ等の唄口ならびにこれと同様の唄口を有する縦吹きのエアリード型の構造を有してもよい。このような構造にすることにより、エッジへの息の当たり方を自由に変えられるようになるので、同一の唄口を用いて表情豊かな音色を発音させることが可能になる。なお、エッジ４３、４７、４８、５０及び各切り欠きの形状は図３、図４、図９及び図１０に限定されるものではない。例えば、図３に示した唄口２２は、尺八の琴古流、都山流、秀竹流等の唄口構造と同様の形状を有していてもよい。図４に示した唄口２３のエッジ４７は、湾曲状としてもよいし、一部が直線状となっていてもよい。さらに、図３、図４、図９及び図１０に示したラビューム４４の形状は限定するものではなく、円形に広がっていてもよいし、Ｖ字型に広がっていてもよい。【００３９】
図５は、唄口構造の第５形態を示す断面図である。図５に示す唄口構造は、円筒体の端部の開口部５１を吹き口とし、円筒体の側面に窓５２を設け、開口部５１からの息による空気流れ１を窓５２へ送るウインドウェイ５３を円筒体の内部に設け、窓５２のうち息による空気流れ１が当たるエッジ５４の周りを円筒体の肉厚５６よりも傾斜状に肉薄としてラビューム５５を設けた構造を有する。円筒体のもう一方の末端の接続部４５は、接続管（不図示）に接続されてもよいが、主管（不図示）に直接接続されてもよい。すなわち、図５に示すように、縦吹きのエアリード型の唄口構造は、ソプラノリコーダー、アルトリコーダー、テナーリコーダー等のリコーダー、Ｋ−ケーナ等の唄口並びにこれと同様の唄口を有する構造としてもよい。このような構造にすることにより、ウインドウェイによってエッジに息を確実に当てることができるので、発音を容易にすることができる。なお、開口部５１及び窓５２の形状は限定しない。例えば、エッジ５４の形状は、直線状であってもよいし、円弧状でもあってもよい。【００４０】
図１の接続管３１は、唄横吹き木管楽器の主管１２と唄口２１の間に接続される接続管３１であって、唄口２１は、縦吹きのエアリード型の唄口構造を有し、接続管３１は、唄口２１と共に管楽器８１の頭部管１１を構成する。接続管３１と縦吹きのエアリード型の唄口構造を有する唄口２１とで頭部管１１を構成することによって、唄口２１のみを着脱することが可能になる。また、形状、材質、塗装の組み合わせにより、新たな音色を発音することが可能になる。接続管３１に用いることのできる材質は、前述した頭部管及び唄口と同様のものを用いることができ、材質による音色の違いを表１に、塗装による音色の違いを表２に示す。
【表１】
2006027819.tif 000002
接続管３１に用いることのできる材質は上記に限られるものでははく、例えばプラチナ、プラスチックを用いてもよい。
【表２】
2006027819.tif 000003
【００４１】
図６は、接続管を示す模式図であり、（ａ）は接続管の第２形態、（ｂ）は接続管の第３形態を示す。接続管の少なくとも一部が湾曲又は屈曲していてもよく、図６（ａ）に示した接続管３２の少なくとも一部は湾曲し、図６（ｂ）に示した接続管３３の少なくとも一部は屈曲している。接続管３２及び３３は、円筒形の片端６１が主管（不図示）に接続され、他端６２が唄口（不図示）に接続される。湾曲又は屈曲する部位は限定しない。例えば、接続管３１の中央が湾曲又は屈曲していてもよいし、端部付近が湾曲又は屈曲していてもよい。また、湾曲又は屈曲する角度は限定しない。例えば、接続管の中央部分が、直管に対して０度から１１０度の間の角度で湾曲又は屈曲していてもよい。また、他端６２の付近が、直管に対して３０度から９０度の間の角度で湾曲又は屈曲していてもよい。さらに、湾曲又は屈曲する角度が可変であってもよい。このように接続管の少なくとも一部が湾曲又は屈曲していることにより、柔らかさ、太さ、均一性等の音色を変えることが可能になる。【００４２】
図７は、本実施形態に係る接続管の縦断面図であり、（ａ）は接続管の第４形態、（ｂ）は接続管の第５形態、（ｃ）は接続管の第６形態を示す。接続管は、主管側に向かって内壁の内径が大きくなるテーパーを有していてもよく、図７（ａ）に示す接続管３４は内壁がＡテーパー、図７（ｂ）に示す接続管３５は内壁がＣテーパー、図７（ｃ）に示す接続管３６は内壁がＧテーパーとなっている。接続管３４、３５、３６はそれぞれ、片端６１に主管が接続され、他端６２に唄口２１が接続される。表２にテーパーごとの音色の違いを示す。
【表３】
2006027819.tif 000004
表３のように、接続管に主管側に向かって内径が大きくなるテーパーを設けることで、音のバランス、音抜け、響き等の音色を変えることが可能になる。【００４３】
図８は、図１の頭部管の第８形態を示す模式図である。図８に示すように、唄口が長い形態であってもよい。図８に示す頭部管１５は、唄口２５の材質が木であり、接続管３７の材質が金属となっている。唄口２５と接続管３７との組み合わせは限定するものではなく、それぞれ、銀―銀、銀―洋銀、銀―金、銀―キュプロニッケル、銀―木、金−銀、金−洋銀、金―金、金―キュプロニッケル、金―木、洋銀−銀、洋銀−金、洋銀−金、洋銀−キュプロニッケル、洋銀−木の組み合わせでもよい。さらに、プラスチックでもよく、唄口２５と接続管３７との組み合わせを、プラスチック−銀、プラスチック−洋銀、プラスチック−金、プラスチック−キュプロニッケル、プラスチック−木、銀−プラスチック、洋銀−プラスチック、金―プラスチック、キュプロニッケル−プラスチック、木−プラスチック、プラスチック−プラスチックとしてもよい。【００４４】
以上説明したように、図１に示した管楽器８１は、エアリード型のフルート族の主管１２と、縦吹きのエアリード型の唄口構造を有する頭部管１１とを有することにより、フルート族を縦吹きで演奏することが可能になる。これにより、演奏者は、演奏者の正面に縦に配列されたキイにより演奏することができるので、演奏時の姿勢をより自然なものとすることができる。したがって、フルート族の演奏時にかかる演奏者への負担を軽減することが可能になる。また、新たな唄口構造とすることで音色も新たなものとなりうる。例えば、フルートの音色だけでなく、深みのあるダイナミックな音色から、風のささやくような小さな音まで出すことも可能になる。
【図１】
2006027819.tif 000005
【図２】
2006027819.tif 000006
【図３】
2006027819.tif 000007
【図４】
2006027819.tif 000008
【図５】
2006027819.tif 000009
【図６】
2006027819.tif 000010
【図７】
2006027819.tif 000011
【図８】
2006027819.tif 000012
【図９】
2006027819.tif 000013
【図１０】
2006027819.tif 000014
【図１１】
2006027819.tif 000015
【図１２】
2006027819.tif 000016
【手続補正書】
【提出日】平成19年5月16日(2007.5.16)
【手続補正１】
【補正対象書類名】特許請求の範囲
【補正対象項目名】全文
【補正方法】変更
【補正の内容】
【特許請求の範囲】
【請求項１】
横吹き木管楽器の主管に接続される頭部管の唄口であって、
該唄口は、縦吹きのエアリード型の唄口構造を有し、かつ、
該唄口は、前記頭部管の末端側で該頭部管と一体であるか、或いは、前記主管と該唄口を接続する接続管と共に前記頭部管を構成し、
前記唄口構造は、円筒体の端部の開口部を吹き口とし、該開口部の周端の一部を、該周端が下底となるような台形状に取り除いて切り欠きを設け、該切り欠きの縁辺をエッジとし、該エッジの周りを前記円筒体の肉厚よりも傾斜状に肉薄としてラビュームを設けた構造を有することを特徴とする唄口。
【請求項２】
横吹き木管楽器の主管に接続される頭部管の唄口であって、
該唄口は、縦吹きのエアリード型の唄口構造を有し、かつ、
該唄口は、前記頭部管の末端側で該頭部管と一体であるか、或いは、前記主管と該唄口を接続する接続管と共に前記頭部管を構成し、
前記唄口構造は、円筒体の端部の開口部を吹き口とし、該開口部の周端の一部を、該周端が底辺となるような矩形状に取り除いて切り欠きを設け、該切り欠きの矩形状の上辺をエッジとし、該エッジの周りを前記円筒体の肉厚よりも傾斜状に肉薄としてラビュームを設け、かつ、矩形状の両側辺を切り口面とした構造を有することを特徴とする唄口。
【請求項３】
前記矩形状の両側辺の前記切り口面が平行面となっていることを特徴とする請求項２に記載の唄口。
【請求項４】
横吹き木管楽器の主管に接続される頭部管の唄口であって、
該唄口は、ケーナの唄口構造を有し、かつ、
該唄口は、前記頭部管の末端側で該頭部管と一体であるか、或いは、前記主管と該唄口を接続する接続管と共に前記頭部管を構成していることを特徴とする唄口。
【請求項５】
フルート、ソプラノフルート、アルトフルート、コントラアルトフルート、バスフルート、コントラバスフルート、アイリッシュフルート、ピッコロ等の横吹き木管楽器の主管を少なくとも有する管楽器であって、
前記主管と接続される頭部管の唄口が、請求項１から４のいずれかに記載の唄口であることを特徴とする管楽器。
【請求項６】
横吹き木管楽器の主管と唄口の間に接続される接続管であって、
前記唄口が、請求項１から４のいずれかに記載の唄口であり、
前記接続管は、前記唄口と共に管楽器の頭部管を構成することを特徴とする接続管。
【請求項７】
前記接続管の少なくとも一部が湾曲又は屈曲していることを特徴とする請求項６に記載の接続管。
【請求項８】
前記接続管は、前記主管側に向かって内壁の内径が大きくなるテーパーを有することを特徴とする請求項６又は７に記載の接続管。
【国際調査報告】
2006027819.tif 000017
2006027819.tif 000018
2006027819.tif 000019
2006027819.tif 000020